(57)【要約】【課題】  ノッキング操作を小さな力で容易に行うことができ、使用感に優れる加圧ペンを提供する。【解決手段】  加圧ポンプ機構１６を、媒体収容管６内に連通する加圧室２１を有するとともに、媒体収容管６の後端開放部６ｂに軸方向に伸縮変形自在に設けた加圧部材１８と、この加圧部材１８を圧縮方向に押圧するとともに、ノック機構１０の押込み動作に連動する押圧部材１７とにより構成する。加圧部材１８を、押圧部材１７をもって、加圧室２１が気密状態となるように圧縮変形させることにより、媒体収容管６内を加圧するとともに、押圧部材１７の押圧開放動作により、加圧部材１８を軸方向に伸長するように復元させ、媒体収容管６内を、外気との通気状態に維持させるようにする。【選択図】    図１
2008000998.tif 000002
【特許請求の範囲】
【請求項１】
軸筒内に、ペンリフィールユニットが装填され、このペンリフィールユニットにおけるインク等の媒体収容管の前端部にペンチップが設けられるとともに、媒体収容管の後端開放部内を加圧する加圧ポンプ機構が設けられ、かつペンチップを、軸筒の後端部に設けたノック機構により、軸筒の前端部から外部に出没可能に臨ませてなる加圧ペンにおいて、
加圧ポンプ機構を、媒体収容管内に連通する加圧室を有するとともに、媒体収容管の後端開放部に軸方向に伸縮変形自在に設けた加圧部材と、この加圧部材を圧縮方向に押圧するとともに、前記ノック機構の押込み動作に連動する押圧部材とにより構成し、
加圧部材を、押圧部材をもって、加圧室が気密状態となるように圧縮変形させることにより、媒体収容管内を加圧するとともに、
押圧部材の押圧開放動作により、加圧部材を軸方向に伸長するように復元させ、媒体収容管内を、外気との通気状態に維持させうるようにしたことを特徴とする加圧ペン。
【請求項２】
加圧部材を、弾性円筒体により形成するとともに、この弾性円筒体の前端と後端との間に、軸方向に伸縮変形可能な変形部を形成したことを特徴とする請求項１記載の加圧ペン。
【請求項３】
変形部を、断面Ｖ字形の環状溝に形成したことを特徴とする請求項２記載の加圧ペン。
【請求項４】
押圧部材を、ノック機構におけるノック棒の押込み、及びその開放動作によってカム機構部を介して駆動される回転子に追従させるとともに、ノック棒の押込み動作により、加圧部材を圧縮し、媒体収容管内を加圧しながら、ペンチップを、軸筒の前端部から外部に突出させたことを特徴とする請求項１〜３記載の加圧ペン。
【請求項５】
加圧部材を、ペンチップの突出状態において、圧縮状態に維持させるとともに、ペンチップの格納状態において、外気と連通可能な伸長状態に維持させるようにしたことを特徴とする請求項１〜４記載の加圧ペン。
【発明の詳細な説明】
【技術分野】
【０００１】
本発明は、例えばボールペン、修正ペン、糊塗布ペン等のペンに係り、特に、使用時におけるインク、修正液、糊等の媒体の供給を円滑に行うことができるようにした加圧ペンに関する。
【背景技術】
【０００２】
従来のペン、例えばボールペンにおいては、使用時、インクがペンリフィールユニットのペンチップから円滑に出なかったり、筆記途中でインク切れしたりすることがあり、その都度、紙面上にペン先を何回も擦り付けて、インク出しを行なわねばならないという不具合が往々にしてあった。
【０００３】
これに対し、特許文献１に開示されているように、ノック式ボールペンのペンリフィールユニットに、シリンダとピストンとからなる加圧ポンプ機構を設け、シリンダの内周面に摺接するピストンの先端部に、ゴム等の環状弾性リングを設けるとともに、加圧ポンプ機構をノック機構に連動させ、使用時のノッキング操作で、シリンダ内の圧縮室をピストンにより圧縮することにより、インクが充填されたインク収容管内を加圧するようにしたものが知られている(特許文献１参照)。
【０００４】
しかし、特許文献１記載のものでは、ピストンの先端部における環状弾性リングの外周面が、シリンダの内周面に密接して、外気と遮断され、使用時に、ノック機構に連動させてピストンを前方に移動させることにより、シリンダ内の圧縮室における空気が加圧されるものであるが、環状弾性リングを製作する際に、外径のばらつきや、金型の継ぎ目におけるばりなどにより、環状弾性リングの外径の寸法精度が低下し、シール性が不充分になる場合がある。
このような環状弾性リングの変化を吸収して、シール性を高めるには、環状弾性リングの外径の設計値を大きく採る必要がある。
一方、環状弾性リングの外径の設計値を大きく採ると、ピストンを後方の元の位置に復帰させるためには、ばね係数の大きいスプリングを用いる必要がある。
そうすると、逆に、使用時におけるノッキング操作に大きな力を要し、使用感上、好ましくないこととなる。
【特許文献１】特開２００５−２８０１１９号公報
【発明の開示】
【発明が解決しようとする課題】
【０００５】
本発明は、上述のような問題点に鑑みてなされたもので、ノッキング操作を小さな力で容易に行うことができ、使用感に優れる加圧ペンを提供することを目的としている。
【課題を解決するための手段】
【０００６】
本発明によると、上記課題は、次のようにして解決される。
(１)   軸筒内に、ペンリフィールユニットが装填され、このペンリフィールユニットにおけるインク等の媒体収容管の前端部にペンチップが設けられるとともに、媒体収容管の後端開放部内を加圧する加圧ポンプ機構が設けられ、かつペンチップを、軸筒の後端部に設けたノック機構により、軸筒の前端部から外部に出没可能に臨ませてなる加圧ペンにおいて、加圧ポンプ機構を、媒体収容管内に連通する加圧室を有するとともに、媒体収容管の後端開放部に軸方向に伸縮変形自在に設けた加圧部材と、この加圧部材を圧縮方向に押圧するとともに、前記ノック機構の押込み動作に連動する押圧部材とにより構成し、加圧部材を、押圧部材をもって、加圧室が気密状態となるように圧縮変形させることにより、媒体収容管内を加圧するとともに、押圧部材の押圧開放動作により、加圧部材を軸方向に伸長するように復元させ、媒体収容管内を、外気との通気状態に維持させうるようにする。
【０００７】
(２)  上記(１)項において、加圧部材を、弾性円筒体により形成するとともに、この弾性円筒体の前端と後端との間に、軸方向に伸縮変形可能な変形部を形成する。
【０００８】
(３)  上記(２)項において、変形部を、断面Ｖ字形の環状溝に形成する。
【０００９】
(４)  上記(１)〜(３)項において、押圧部材を、ノック機構におけるノック棒の押込み、及びその開放動作によってカム機構部を介して駆動される回転子に追従させるとともに、ノック棒の押込み動作により、加圧部材を圧縮し、媒体収容管内を加圧しながら、ペンチップを、軸筒の前端部から外部に突出させる。
【００１０】
(５)  上記(１)〜(４)項において、加圧部材を、ペンチップの突出状態において、圧縮状態に維持させるとともに、ペンチップの格納状態において、外気と連通可能な伸長状態に維持させるようにする。
【発明の効果】
【００１１】
本発明によると、次のような効果が奏せられる。
請求項１記載の発明によれば、加圧ポンプ機構の加圧部材を、軸方向に伸縮変形自在なものとするとともに、ノック機構の押込み動作に連動させた押圧部材により圧縮変形させることにより、媒体収容管内を加圧するようになっていることから、加圧部材を容易に圧縮変形させることができるため、ノッキング操作を小さな力で容易に行うことができ、使用感に優れた加圧ペンが得られる。
【００１２】
請求項２記載の発明によれば、加圧部材を、弾性円筒体により形成するとともに、この弾性円筒体の前端と後端との間に、軸方向に伸縮変形可能な変形部を形成してあるため、加圧部材を容易に圧縮変形させることができる。
【００１３】
請求項３記載の発明によれば、変形部を、断面Ｖ字形の環状溝に形成してあるため、加圧部材を容易に圧縮変形させることができる。
【００１４】
請求項４記載の発明によれば、押圧部材を、ノック機構における回転子に追従させ、ノック棒の押込み動作により、加圧部材を圧縮し、媒体収容管内を加圧しながら、ペンチップを、軸筒の前端部から外部に突出させているため、媒体収容管内の加圧を円滑に行うことができる。
【００１５】
請求項５記載の発明によれば、ペン使用時に、媒体収容管内を加圧状態に維持することができるため、特にペン先を上向きの状態で使用する場合のインク切れ等を防止するのに有効である。
【発明を実施するための最良の形態】
【００１６】
以下、本発明を、ノック式ボールペンを例にとり詳細に説明する。
図１は、本発明の一実施形態を示す非加圧状態におけるノック式ボールペンの断面図、図２は、同じく要部拡大断面図である。なお、図において、紙面に対して「左側」を「前方」、「右側」を「後方」とする。
【００１７】
図１に示すように、本発明のボールペン(１)のペン軸は、軸筒(２)と、この軸筒(２)の前端部(2a)に螺着したペン先部材(３)とで構成され、ペン軸内には、ペンリフィールユニット(４)が装填されている。
【００１８】
ペンリフィールユニット(４)は、筆記媒体としてのインク(５)が充填されたインク収容管(６)と、このインク収容管(６)の前端部(6a)に装着されたペンチップ(７)とで構成されている。ペンチップ(７)は、後記するペンリフィールユニット(４)の押動により、ペン先部材(３)の前端開口部(3a)から出没するようにしてある。
【００１９】
インク収容管(６)の後端開放部(6b)側は、軸筒(２)内を前後にスライド自在なホルダー(８)により保持されており、このホルダー(８)は、圧縮スプリング(９)により、ペンリフィールユニット(４)のペンチップ(７)を、ペン先部材(３)内に格納しうるように、後方に向けて付勢されている。
【００２０】
軸筒(２)の後端部(2b)内には、ノック機構(10)が組み込まれている。このノック機構(10)は、ノック部(11)と、このノック部(11)を軸筒(２)の後端部(2b)から外部に突出しうるように後方に付勢する圧縮スプリング(12)と、この圧縮スプリング(12)の付勢力に抗するノック部(11)の押込み動作、及びその開放動作に協動するノック棒(13)と、このノック棒(13)に連動するカム機構部(14)と、このカム機構部(14)に協動する回転子(15)とにより構成されている。圧縮スプリング(12)のばね力は、圧縮スプリング(９)のばね力よりも小さく設定されている。
すなわち、ノック機構(10)は、ノック部(11)のノッキング操作により、ノック棒(13)を、圧縮スプリング(12)の付勢力に抗して押込み動作させるとともに、その開放を行うことより、カム機構部(14)によって回転子(15)を駆動させ、これにより、ペンリフィールユニット(４)のペンチップ(７)を、格納状態または突出状態に出没させうるようになっている周知の機構である。
【００２１】
インク収容管(６)の後端開放部(6b)と回転子(15)の前端部(15a)との間には、加圧ポンプ機構(16)が設けられている。この加圧ポンプ機構(16)は、図２に示すように、回転子(15)の駆動に追従する押圧部材(17)と、この押圧部材(17)の前端部とインク収容管(６)の後端開放部(6b)との間に設けた加圧部材(18)とにより構成されている。
【００２２】
加圧部材(18)は、ゴム等のエラストマーからなる弾性円筒体(19)により形成されており、この弾性円筒体(19)の前端(19a)を、インク収容管(６)の後端開放部(6b)に連通させて組み付け、その後端(19b)を、押圧部材(17)の前端部に外気と連通させて組み付けてある。弾性円筒体(19)の前端(19a)と後端(19b)との間の中間部には、断面Ｖ字形の環状溝(20)が円周方向に形成されており、押圧部材(17)の前方への移動に伴う押圧動作により、弾性円筒体(19)により形成される加圧室(21)内を、前後の軸方向に伸縮変形可能としてある。
【００２３】
押圧部材(17)の前端中央部には、栓体(17a)が前方に向けて突設されており、この栓体(17a)は、後記する弾性円筒体(19)の圧縮変形により、環状溝(20)に対応する弾性円筒体(19)の内周部分に形成される屈曲口部(22)を閉塞し、加圧室(21)内を気密状態に維持しうるようになっている。
【００２４】
図３は、加圧開始状態における断面図、図４は、同じく要部拡大断面図である。
図１及び図２に示す非加圧状態において、図３及び図４に示すように、ノック部(11)を、圧縮スプリング(12)の付勢力に抗して、半段階で前方に向けて押込み動作させると、この動作に協動して、ノック棒(13)が前方に向けて移動し、カム機構部(14)を介して回転子(15)を半駆動する。この回転子(15)の半駆動により、押圧部材(17)は、前方に向けて移動し、加圧部材(18)の弾性円筒体(19)を、後端(19a)から前端(19a)に向けて押圧する。押圧部材(17)の押圧動作により、弾性円筒体(19)は、中間部の環状溝(20)の部分において容易に圧縮変形するとともに、押圧部材(17)の前端中央部に突設した栓体(17a)により、環状溝(20)に対応する弾性円筒体(19)の内周部分に形成される屈曲口部(22)は閉塞され、加圧室(21)内を気密状態に維持する。このとき、ノック部(11)の半段階における押込み力は、圧縮スプリング(12)のばね力が、ペンリフィールユニット(４)を後方に付勢する圧縮スプリング(９)のばね力よりも、小さく設定されており、ペンリフィールユニット(４)は、前方に向けて移動することがないため、ペンチップ(７)は、ペン先部材(３)内に格納状態に維持されている。
【００２５】
図５は、加圧状態における断面図、図６は、同じく要部拡大断面図である。
図３及び図４に示す加圧開始状態において、図５及び図６に示すように、ノック部(11)を、圧縮スプリング(９)のばね力よりも強い力により、前方に向けて押込み動作させると、この動作に協動して、ノック棒(13)は前方に向けて移動し、カム機構部(14)を介して、回転子(15)がさらに駆動される。この回転子(15)の駆動により、押圧部材(17)は、気密状態にある加圧室(21)内を圧縮し、加圧室(21)内の空気が、インク収容管(６)の後端開放部(6b)内に向けて圧送され、インク収容管(６)の後端開放部(6b)を加圧する。このとき、ノック部(11)の押込み力は、ペンリフィールユニット(４)を後方に付勢する圧縮スプリング(９)のばね力よりも大きいため、ペンリフィールユニット(４)は、前方に向けて移動し、ペンチップ(７)は、軸筒(２)の前端部(2a)におけるペン先部材(３)内から外部に突出する。
【００２６】
次いで、ノック部(11)の押込み動作を開放すると、ノック棒(13)のみが圧縮スプリング(12)の付勢力により後方に復帰し、回転子(15)は、駆動位置で係止されるため、ペンチップ(７)が突出状態を維持するとともに、押圧部材(17)は、加圧部材(18)の弾性円筒体(19)を押圧したままとなっているため、加圧室(21)内は、加圧状態が維持されている。
これにより、ペン使用時に、インク収容管(6)内を常に加圧状態に維持させることができるため、ペン先を上向きにした状態での筆記も容易に行うことができる。
【００２７】
ペン使用後、ノック部(11)を、圧縮スプリング(12)の付勢力に抗して、再度、前方に向けて押込み、ノック棒(13)を動作させると、カム機構部(14)に対する回転子(15)の係止状態が解除され、圧縮スプリング(12)の付勢力によるノック棒(13)の後方への復帰と共に、回転子(15)は、圧縮スプリング(９)の付勢力により、押圧部材(17)と共に後方に向け移動し、図１及び図２に示す元の位置に復帰すると同時に、加圧部材(18)も圧縮状態から伸長状態に復帰し、再び、インク収容管(６)内及び加圧部材(18)内における弾性円筒体(19)の加圧室(21)が、外気と通気状態となり、インク収容管(６)内の加圧状態が開放される。
これにより、ノッキング操作を小さな力で容易に行うことができ、使用感に優れた加圧ペンが得られる。
【図面の簡単な説明】
【００２８】
【図１】本発明の一実施形態を示す非加圧状態におけるノック式ボールペンの断面図である。
【図２】同じく要部拡大断面図である。
【図３】加圧開始状態における断面図である。
【図４】同じく要部拡大断面図である。
【図５】加圧状態における断面図である。
【図６】同じく要部拡大断面図である。
【符号の説明】
【００２９】
(１)  ノック式ボールペン
(２)  軸筒
(2a)  前端部
(2b)  後端部
(３)  ペン先部材
(3a)  開口部
(４)  ペンリフィールユニット
(５)  インク(媒体)
(６)  インク収容管
(6a)  前端部
(6b)  後端開放部
(７)  ペンチップ
(８)  ホルダー
(９)  圧縮スプリング
(10)  ノック機構
(11)  ノック部
(12)  圧縮スプリング
(13)  ノック棒
(14)  カム機構部
(15)  回転子
(16)  加圧ポンプ機構
(17)  押圧部材
(17a) 栓体
(18)  加圧部材
(19)  弾性円筒体
(19a)  前端
(19b)  後端
(20)  環状溝(変形部)
(21)  加圧室
(22)  屈曲口部
【図１】
2008000998.tif 000003
【図２】
2008000998.tif 000004
【図３】
2008000998.tif 000005
【図４】
2008000998.tif 000006
【図５】
2008000998.tif 000007
【図６】
2008000998.tif 000008